(57)【要約】【課題】差込片と規制片との適切な連結を担保しながら、その連結を容易に解除することができるロック構造を提供する。【解決手段】  内側壁１０の外側に外側壁１４を重ねた状態を保持するロック構造１５であって、内側壁１０から天壁１１に亘って開口した連結穴１７と、内側壁１０の外側に重ねられた外側壁１４の一端部に連なった状態に設けられ、外側壁１４の一端部で弾性力をもって折り曲げられて連結穴１７に差し込まれた状態で、内側壁１０の一端部を外側壁１４との間に挟み込む差込片１６と、連結穴１７の周縁部の一部に連なった状態に設けられ、周縁部の一部で弾性力をもって折り曲げられて連結穴１７に差し込まれた状態で、その先端部を差込片１６に接触させて差込片１６を折曲状態に保持する規制片１８と、を備えている。【選択図】図１
2019006447.tif 000002
【特許請求の範囲】
【請求項１】
第１壁（１０，３５）の外側に外側壁（１４，３６）を重ねた状態を保持するロック構造（１５，２０）であって、
前記第１壁の一端部から幅方向に延びた第２壁（１１，３１Ａ）に、または前記第１壁から前記第２壁に亘って開口した連結穴（１７，２２）と、
前記第１壁の外側に重ねられた外側壁の一端部に連なった状態に設けられ、前記外側壁の一端部で弾性力をもって折り曲げられて前記連結穴に差し込まれた状態で、前記第１壁と前記第２壁の一部を、または前記第１壁の一端部を前記外側壁との間に挟み込む差込片（１６，２１）と、
前記連結穴の周縁部の一部に連なった状態に設けられ、前記周縁部の一部で弾性力をもって折り曲げられて前記連結穴に差し込まれた状態で、その先端部を前記差込片に接触させて前記差込片を折曲状態に保持する規制片（１８，２３）と、を備えていることを特徴とするロック構造。
【請求項２】
前記規制片（１８）は、前記連結穴を挟んで前記第１壁の反対側となる前記連結穴の縁部から前記第１壁に向かって延びた状態に設けられ、その先端部を前記連結穴に差し込まれた前記差込片の表面に接触させることを特徴とする請求項１に記載のロック構造（１５）。
【請求項３】
前記規制片の延出寸法は、前記差込片の延出寸法よりも短く設定されていることを特徴とする請求項２に記載のロック構造。
【請求項４】
前記規制片（２３）は、前記連結穴の幅方向に交差する長さ方向両縁部から互いに接近するように延びた状態に一対設けられ、その先端部を前記連結穴に差し込まれた前記差込片の長さ方向両側の表面に接触させることを特徴とする請求項１に記載のロック構造（２０）。
【請求項５】
前記規制片の先端部には、前記差込片の先端角部を嵌合させる凹部（２３Ａ）が切り欠かれていることを特徴とする請求項４に記載のロック構造。
【請求項６】
前記連結穴の幅方向の寸法は、前記差込片の延出寸法よりも短く設定されていることを特徴とする請求項１ないし５のいずれかに記載のロック構造。
【請求項７】
請求項１ないし６のいずれかに記載のロック構造を備えていることを特徴とする包装箱（１〜３）。
【発明の詳細な説明】
【技術分野】
【０００１】
本発明は、ロック構造および包装箱に関する。
【背景技術】
【０００２】
包装箱等において、一方の壁を他方の壁に重ねた状態を保持するロック構造が知られている。
【０００３】
例えば、特許文献１に記載の連結手段は、第１パネルから切り出されたロックタブと、第２パネルから切り出された保持タブと、保持タブが切り出された跡に形成されたロック孔と、を有している。保持タブにはロックタブの突出部が嵌り込むノッチが設けられている。ロックタブは折り曲げられてロック孔に挿入され、保持タブはロックタブに押しのけられて折り曲げられる。保持タブの自由端縁がロックタブに当接することで、ロックタブがロック孔内に保持される。振動等によって保持タブの自由端縁がロックタブに沿って滑ると、ロックタブの突出部が保持タブのノッチに嵌合する。これにより、保持タブの滑りが止まるため、ロックタブの曲げ戻りを防止される。
【先行技術文献】
【特許文献】
【０００４】
【特許文献１】特許第４０９８３８２号公報
【発明の概要】
【発明が解決しようとする課題】
【０００５】
しかしながら、上記した連結手段では、ロックタブと保持タブとの連結を解除する場合、ロックタブおよび保持タブを両方引き起こしながらノッチに嵌合した突起部を外さなければならなかった。このため、ロックタブと保持タブとの連結状態を容易に解除することができなかった。
【０００６】
本発明は、上記課題を解決するために、差込片と規制片との適切な連結を担保しながら、その連結を容易に解除することができるロック構造および包装箱を提供する。
【課題を解決するための手段】
【０００７】
上記した目的を達成するため、本発明は、第１壁の外側に外側壁を重ねた状態を保持するロック構造であって、前記第１壁の一端部から幅方向に延びた第２壁に、または前記第１壁から前記第２壁に亘って開口した連結穴と、前記第１壁の外側に重ねられた外側壁の一端部に連なった状態に設けられ、前記外側壁の一端部で弾性力をもって折り曲げられて前記連結穴に差し込まれた状態で、前記第１壁と前記第２壁の一部を、または前記第１壁の一端部を前記外側壁との間に挟み込む差込片と、前記連結穴の周縁部の一部に連なった状態に設けられ、前記周縁部の一部で弾性力をもって折り曲げられて前記連結穴に差し込まれた状態で、その先端部を前記差込片に接触させて前記差込片を折曲状態に保持する規制片と、を備えている。
【０００８】
この場合、前記規制片は、前記連結穴を挟んで前記第１壁の反対側となる前記連結穴の縁部から前記第１壁に向かって延びた状態に設けられ、その先端部を前記連結穴に差し込まれた前記差込片の表面に接触させることが好ましい。
【０００９】
この場合、前記規制片の延出寸法は、前記差込片の延出寸法よりも短く設定されていることが好ましい。
【００１０】
他の場合、前記規制片は、前記連結穴の幅方向に交差する長さ方向両縁部から互いに接近するように延びた状態に一対設けられ、その先端部を前記連結穴に差し込まれた前記差込片の長さ方向両側の表面に接触させることが好ましい。
【００１１】
この場合、前記規制片の先端部には、前記差込片の先端角部を嵌合させる凹部が切り欠かれていることが好ましい。
【００１２】
これらの場合、前記連結穴の幅方向の寸法は、前記差込片の延出寸法よりも短く設定されていることが好ましい。
【００１３】
上記した目的を達成するため、本発明の包装箱は、上記のいずれかに記載のロック構造を備えている。
【発明の効果】
【００１４】
本発明によれば、差込片と規制片との適切な連結を担保しながら、その連結を簡単に解除することができる。
【図面の簡単な説明】
【００１５】
【図１】本発明の第１実施形態に係る包装箱を示す斜視図である。
【図２】本発明の第１実施形態に係る包装箱のブランクを示す平面図である。
【図３】本発明の第１実施形態に係る包装箱を組み立てる過程を示す斜視図である。
【図４】本発明の第１実施形態に係る包装箱を組み立てる過程を示す断面図である。
【図５】本発明の第１実施形態に係る包装箱であって、ロック構造を用いてロックした状態を示す斜視図である。
【図６】図５のＶＩ−ＶＩ断面図である。
【図７】本発明の第２実施形態に係る包装箱を示す斜視図である。
【図８】本発明の第２実施形態に係る包装箱のブランクを示す平面図である。
【図９】本発明の第２実施形態に係る包装箱を組み立てる過程を示す斜視図である。
【図１０】本発明の第２実施形態に係る包装箱であって、ロック構造を用いてロックした状態を示す斜視図である。
【図１１】図１０のＸＩ−ＸＩ断面図である。
【図１２】図１０のＸＩＩ−ＸＩＩ断面図である。
【図１３】本発明の第３実施形態に係る包装箱のブランクを示す平面図である。
【図１４】本発明の第１実施形態の変形例に係る包装箱のブランクを示す平面図である。
【発明を実施するための形態】
【００１６】
以下、添付の図面を参照しつつ、本発明の実施形態について説明する。なお、本明細書では、方向や位置を示す用語を用いるが、それらの用語は説明の便宜のために用いるものであって、本発明の技術的範囲を限定するものではない。
【００１７】
［第１実施形態：包装箱の概要］
図１および図２を参照して、第１実施形態に係る包装箱１の構成について説明する。図１は包装箱１を示す斜視図である。図２は包装箱１のブランク５を示す平面図である。なお、図面に示す「Ｄ」は「長さ方向」を示し、「Ｗ」は「幅方向」を示し、「Ｈ」は「高さ方向（上下方向）」を示している。また、長さ方向と幅方向と高さ方向とは、互いに直交（交差）している。
【００１８】
図１に示すように、包装箱１は、長さ方向に細長い角筒状に形成されている。すなわち、包装箱１は、長さ方向両端面を開口させたスリーブ形式の段ボール箱である。包装箱１は、内容物（図示せず）の周囲に巻き付けられることで、その内容物を保護する。なお、包装箱１は、他の箱に入れる内容物（商品）と箱の内面との隙間を埋める緩衝部材としても使用することができる。
【００１９】
包装箱１は、図２に示すブランク５を組み立てることで形成される。ブランク５は、一枚の紙製の段ボールシートをダイカッタ等で打ち抜くことで形成されている。段ボールシートは、例えば、波状の中しん９Ａに表ライナ９Ｂと裏ライナ９Ｃ（図１参照）とを貼り合せたものである。なお、図２は、表ライナ９Ｂ側（包装箱１の外面側）を示している。本明細書では、段ボールの中しん９Ａと平行な方向を「段方向」と呼び、段方向に直交する方向を「流れ方向」と呼ぶこととする。図面に示す「Ｘ」は「段方向」を示し、「Ｙ」は「流れ方向」を示している。
【００２０】
［ブランク］
図２に示すように、ブランク５は、内側壁１０（第１壁）と、天壁１１（第２壁）と、側壁１２と、底壁１３と、外側壁１４と、ロック構造１５と、を備えている。
【００２１】
内側壁１０、天壁１１、側壁１２、底壁１３および外側壁１４は、この順番で段方向一方から他方に向かって一列に並んでいる。これらの壁１０〜１４は、それぞれ、流れ方向（長さ方向）に長い略長方形状に形成されている。これらの壁１０〜１４の流れ方向の寸法は、同一に設定されている。内側壁１０と側壁１２と外側壁１４との段方向の寸法は、略同一に設定されている。また、天壁１１と底壁１３との段方向の寸法は、略同一に設定され、且つ内側壁１０等の段方向の寸法よりも長く設定されている。これらの壁１０〜１４の各々の境界には、第１罫線Ｌ１が形成されている。第１罫線Ｌ１は、段ボールシートを裏ライナ９Ｃ側から厚み方向に直線状に潰して形成された汎用罫線である。
【００２２】
＜ロック構造＞
ロック構造１５は、差込片１６と、連結穴１７と、規制片１８と、を含んでいる。差込片１６は、外側壁１４の段方向他端部に２本の第２罫線Ｌ２を介して連なった状態に設けられている。連結穴１７は、主に天壁１１に開口している。規制片１８は、連結穴１７の周縁部の一部に第３罫線Ｌ３を介して連なった状態に設けられている。なお、第２罫線Ｌ２および第３罫線Ｌ３は、それぞれ汎用罫線である。
【００２３】
（差込片）
差込片１６は、外側壁１４の流れ方向（長さ方向）中央部に形成されている。差込片１６は、外側壁１４の段方向他端部から他方（外側）に向かって延びている。差込片１６は、額縁部１６Ａと、差込本体部１６Ｂと、を含んでいる。
【００２４】
額縁部１６Ａは、２本の第２罫線Ｌ２の間に形成されている。差込本体部１６Ｂは、額縁部１６Ａの先端部から段方向外側に延びている。額縁部１６Ａと差込本体部１６Ｂは、それぞれ、第２罫線Ｌ２を長辺として流れ方向に細長い略長方形状に形成されている。額縁部１６Ａと差込本体部１６Ｂとの流れ方向の寸法は、外側壁１４の流れ方向の寸法よりも短く（例えば略１／３）設定されている。額縁部１６Ａの段方向の寸法（２本の第２罫線Ｌ２の間隔）は、段ボールシートの厚さよりも僅かに長く設定されている。差込本体部１６Ｂの延出寸法は、外側壁１４の段方向の寸法の略半分に設定されている。なお、差込本体部１６Ｂの先端側（自由端側）角部は、円弧状に面取りされている（Ｒ形状）。
【００２５】
（連結穴）
連結穴１７は、天壁１１の流れ方向（長さ方向）中央部にて、内側壁１０との境界（第１罫線Ｌ１）に沿って形成された穴である。詳細には、連結穴１７は、内側壁１０の第１罫線Ｌ１近傍から天壁１１に亘って開口している。連結穴１７は、流れ方向に長い略長方形状に形成されている。連結穴１７の流れ方向の寸法は、差込片１６の流れ方向の寸法と略同一に設定されている。連結穴１７の段方向（幅方向）の寸法は、差込片１６（差込本体部１６Ｂ）の延出寸法よりも短く設定されている。
【００２６】
（規制片）
規制片１８は、連結穴１７を挟んで内側壁１０の反対側となる連結穴１７の縁部から内側壁１０に向かって延びた状態に設けられている。規制片１８は、天壁１１の開口縁部の流れ方向中央部に第３罫線Ｌ３を介して連なり、連結穴１７の内側領域に配置されている。規制片１８は連結穴１７を形成する際に天壁１１の一部に切り出された部分であって、上記した連結穴１７は規制片１８を囲むように形成されている。規制片１８は、第３罫線Ｌ３を長辺として流れ方向に細長い略長方形状に形成されている。規制片１８の流れ方向の寸法は、連結穴１７（差込片１６）の流れ方向の寸法の略半分に設定されている。規制片１８の延出寸法は、差込片１６（差込本体部１６Ｂ）の延出寸法よりも短く設定されている。また、規制片１８の延出寸法は、連結穴１７の段方向の寸法よりも短く設定されている。規制片１８は、その先端部が内側壁１０との境界（第１罫線Ｌ１）を超えない位置まで延びている。なお、規制片１８の先端側（自由端側）角部は、円弧状に面取りされている（Ｒ形状）。
【００２７】
［包装箱の組立］
次に、図１、図３ないし図６を参照して、包装箱１の組立工程（組立作業）について説明する。図３は包装箱１を組み立てる過程を示す斜視図である。図４は包装箱１を組み立てる過程を示す断面図である。図５はロック構造１５を用いてロックした状態を示す斜視図である。図６は図５のＶＩ−ＶＩ断面図である。ここでは、作業者が包装箱１を組み立てる場合について説明する。
【００２８】
包装箱１は、裏ライナ９Ｃを上方に向けたブランク５を適宜折り曲げることで組み立てられる。図３に示すように、作業者は、底壁１３の上面に内容物を配置し、その内容物を包むように内側壁１０、天壁１１、側壁１２および外側壁１４を第１罫線Ｌ１に沿って略直角に折り曲げる。この際、作業者は、内側壁１０を外側壁１４の内側に配置するように折り曲げる。すると、内側壁１０は起立姿勢に設けられ、天壁１１は内側壁１０の上端部から幅方向一方に向かって延びた状態になる。側壁１２は天壁１１の幅方向一端部から下方に延び、底壁１３は側壁１２の下端部から幅方向他方に向かって延びた状態になる。外側壁１４は、底壁１３幅方向他端部から上方に延びて内側壁１０の外面を略覆った状態になる。
【００２９】
次に、作業者は、ロック構造１５を用いて外側壁１４を内側壁１０に重ねた状態に保持させる。具体的には、作業者は、外側壁１４を内側壁１０から僅かに離間させ、差込片１６を第２罫線Ｌ２に沿って折り曲げる（図３の太矢印参照）。額縁部１６Ａは、基端側の第２罫線Ｌ２で折れ曲がり、連結穴１７の中に露出した内側壁１０の上端面に重なる（図４参照）。差込本体部１６Ｂは、先端側の第２罫線Ｌ２で折れ曲がり、連結穴１７の一部を塞いでいる規制片１８の上面に重なる。
【００３０】
図４に示すように、差込本体部１６Ｂを更に折り曲げると、差込本体部１６Ｂは、規制片１８を押し退けながら連結穴１７に没入する。この際、図４の破線矢印で示すように、差込本体部１６Ｂの先端部は、規制片１８の上面に接触した状態で基端から先端に向かって移動する（滑る）。また、規制片１８は、差込本体部１６Ｂの先端部に押し込まれ、第３罫線Ｌ３に沿って折れ曲がりながら連結穴１７に没入する。なお、差込片１６が連結穴１７に没入する際、外側壁１４は内側壁１０に重なるように近づいて行く。
【００３１】
差込本体部１６Ｂが内側壁１０の内側に略重なる角度（例えば、約１５０〜１８０度）まで折り曲げられると、差込本体部１６Ｂの先端部は規制片１８の先端部から脱落する。すると、図５に示すように、規制片１８は、折曲部分（第３罫線Ｌ３周り）に働く復元力（弾性力）によって僅かに上昇（復元する方向に移動）して差込本体部１６Ｂの上面に乗り上げる。図５および図６に示すように、この状態で、差込本体部１６Ｂは、外側壁１４から側壁１２に向かって斜め下方に延びている。規制片１８は、連結穴１７の縁部から内側壁１０に向かって斜め下方に延び、その先端部を差込本体部１６Ｂの上面に突き当てている。差込本体部１６Ｂは弾性力をもって規制片１８に寄り掛かった姿勢になり、規制片１８は差込片１６（差込本体部１６Ｂ）の弾性力を受け止めている。
【００３２】
以上によって、長さ方向両端面を開口した略角筒状の包装箱１が形成される（図１参照）。つまり、包装箱１の組立作業が完了する。差込片１６は、第２罫線Ｌ２（外側壁１４の上端部）で弾性力をもって折り曲げられて連結穴１７に差し込まれた状態で、内側壁１０の上端部を外側壁１４との間に挟み込む。一方、規制片１８は、第３罫線Ｌ３（周縁部の一部）で弾性力をもって折り曲げられて連結穴１７に差し込まれた状態で、その先端部を差込片１６の上面（表面）に接触させて差込片１６を折曲状態に保持する。すなわち、差込片１６と規制片１８とが互いに支え合う安定した姿勢で連結された状態になる（図６参照）。以上のように、ロック構造１５は、外側壁１４と差込片１６との間に内側壁１０を挟み込むことで、内側壁１０の外側に重ねた状態に保持する（図１および図６参照）。
【００３３】
［包装箱の解体］
次に、図６を参照して、包装箱１の解体作業について説明する。
【００３４】
包装箱１は、ロック構造１５の差込片１６と規制片１８との連結を解除することで解体される。具体的には、図６の一点鎖線で示すように、作業者は、規制片１８を指（手）で押し込むことで、規制片１８の先端部を差込本体部１６Ｂの上面に接触した位置から先端に向かって移動させる（滑らせる）。例えば、規制片１８が天壁１１に対して略直角になるまで折り曲げられると、規制片１８の先端部は差込本体部１６Ｂの上面から離れる。すると、差込片１６は、折曲部分（第２罫線Ｌ２周り）に働く復元力（弾性力）によって規制片１８よりも上方に移動する（図４参照）。つまり、差込片１６と規制片１８との連結が解除される。また、図６の二点鎖線で示すように、この連結解除によって、外側壁１４等は折曲部分（第１罫線Ｌ１周り）に働く復元力（弾性力）によって僅かに広がる（復元する方向に移動する）ため、差込片１６は連結穴１７から抜ける方向に移動する。
【００３５】
以上によって、ロック構造１５によるロックが解除された状態になる。この状態で、作業者は、上記した組立作業とは逆の手順によって包装箱１を解体（展開）する。
【００３６】
以上説明した第１実施形態に係るロック構造１５（包装箱１）では、連結穴１７に差し込まれた差込片１６（差込本体部１６Ｂ）が折曲部分の弾性力によって規制片１８の先端部に突き当たる構成とした。また、規制片１８がその先端部を差込片１６（差込本体部１６Ｂ）に突き当てて差込片１６の復元を規制する構成とした。この構成によれば、規制片１８の弾性力と、規制片１８が差込片１６から受ける弾性力とが釣り合った状態にすることが可能となり、差込片１６と規制片１８とが互いに支え合う安定した姿勢にすることができる（図５および図６参照）。これにより、差込片１６と規制片１８とを適切に連結することができ、差込片１６が外側壁１４との間に内側壁１０の上端部を挟み込んだ状態を保持することができる。また、差込片１６（差込本体部１６Ｂ）を内側壁１０（外側壁１４）と略平行になるように折り畳むことができるため、差込本体部１６Ｂと外側壁１４との間に内側壁１０をしっかりと挟み込むことができる。これにより、包装箱１を略角筒形状に保持することができる。
【００３７】
また、このロック構造１５では、包装箱１を解体する場合、作業者が規制片１８を差込本体部１６Ｂに接触しない位置まで押し込む（接触しない角度まで折り曲げる）と、差込片１６が折曲部分の弾性力によって自動的に規制片１８から離れる構成とした（図６の一点鎖線参照）。これにより、規制片１８を押し込むという簡単な操作で、差込片１６と規制片１８との連結を容易に解除することができる。つまり、差込片１６の弾性力を利用して、ロック構造１５によるロックを自動的に解除することができる。
【００３８】
さらに、このロック構造１５では、規制片１８が差込片１６に接触することで連結され、規制片１８が差込片１６に接触しない角度に折り曲げられることで連結解除される構成とした。この構成によれば、連結と連結解除とを繰り返し行っても、差込片１６や規制片１８の摩耗を抑制することができる。これにより、長期間に亘って差込片１６と規制片１８とを適切に連結させることができるため、包装箱１を繰り返し利用することができる。
【００３９】
また、第１実施形態に係るロック構造１５によれば、規制片１８が差込片１６に対向して設けられているため（図６参照）、差込片１６の弾性力をしっかりと受け止めることができる。これにより、差込片１６と規制片１８との適切な連結を担保することができる。
【００４０】
また、第１実施形態に係るロック構造１５では、規制片１８が差込片１６よりも幅方向（延出方向）に短く設定されていた（図６等参照）。この構成によれば、規制片１８の延出寸法が差込片１６の延出寸法以上である場合に比べて、規制片１８を押し退けながら差込片１６（差込本体部１６Ｂ）を連結穴１７に没入させる過程で、差込本体部１６Ｂが規制片１８の先端部（上面）から脱落するタイミングを早くすることができる（図４参照）。これにより、差込片１６と規制片１８との連結を迅速に行うことができる。
【００４１】
また、第１実施形態に係るロック構造１５によれば、連結穴１７の開口幅が差込片１６の延出寸法よりも短いため、連結穴１７に差し込まれた差込片１６に規制片１８の先端部を適切に突き当てることができる。
【００４２】
なお、第１実施形態に係るロック構造１５では、規制片１８が連結穴１７よりも小さく形成されていたが、本発明はこれに限定されない。例えば、規制片１８が天壁１１から切り出され、連結穴１７が規制片１８を切り出した跡に形成されてもよい（図示せず）。つまり、連結穴１７と規制片１８とが、略同一形状、略同一の大きさいに形成されてもよい。また、規制片１８（連結穴１７）が差込片１６よりも小さく形成されていたが、これに限らず、規制片１８（連結穴１７）が差込片１６と略同じ大きさに形成されていてもよい（図示せず）。
【００４３】
［第２実施形態］
次に、図７および図８を参照して、第２実施形態に係る包装箱２について説明する。図７は包装箱２を示す斜視図である。図８は包装箱２のブランク６を示す平面図である。なお、第１実施形態に係る包装箱１と同様の構成については同一の符号を付し、包装箱１と同様の構成または対応する構成の説明は省略する。
【００４４】
第２実施形態に係る包装箱２では、ロック構造２０が、第１実施形態に係るロック構造１５と相違している。
【００４５】
＜ロック構造＞
ロック構造２０は、差込片２１と、連結穴２２と、一対の規制片２３と、を含んでいる。差込片２１は、外側壁１４の段方向他端部に２本の第２罫線Ｌ２を介して連なった状態に設けられている。差込片２１は、２本の第２罫線Ｌ２の間に形成された額縁部２１Ａと、その先端部から延びた差込本体部２１Ｂと、を含んでいる。連結穴２２は、内側壁１０の第１罫線Ｌ１近傍から天壁１１に亘って開口している。連結穴２２の流れ方向の寸法は、差込片２１の流れ方向の寸法よりも長く設定されている。連結穴２２の段方向の寸法は、差込本体部２１Ｂの延出寸法と略同一に設定されている。一対の規制片２３は、天壁１１の開口縁部の長さ方向（流れ方向）両側に第４罫線Ｌ４（汎用罫線）を介して連なった状態に設けられている。なお、差込片２１および連結穴２２のその他の特徴は、第１実施形態に係る差込片１６および連結穴１７の特徴と略同様であるため、詳細な説明は省略する。
【００４６】
（規制片）
図８に示すように、一対の規制片２３は、連結穴２２の長さ方向両縁部から互いに接近するように延びた状態に設けられている。一対の規制片２３は、内側壁１０と天壁１１との境界（第１罫線Ｌ１）に沿って天壁１１の一部を切り出すことで形成されている。各規制片２３は、第４罫線Ｌ４を短辺とし、流れ方向に長い略長方形状に形成されている。一対の規制片２３は、連結穴２２の略中央で突き合わされている。内側壁１０と一対の規制片２３との間には、第１罫線Ｌ１に沿って隙間（連結穴２２の一部）が形成されている。なお、上記した連結穴２２は、一対の規制片２３を切り出した跡に形成されることになる。
【００４７】
各規制片２３の段方向一方の先端角部には、流れ方向（長さ方向）に長い略長方形状の凹部２３Ａが切り欠かれている。一対の規制片２３の先端部を突き合わせた状態で、一対の凹部２３Ａは連続して一連の凹み形状を構成し、その最奥の縁部は長さ方向両側から中央に向かって段方向他方に傾斜している。
【００４８】
［包装箱の組立］
次に、図７、図９ないし図１２を参照して、包装箱２の組立工程（組立作業）について説明する。図９は包装箱２を組み立てる過程を示す斜視図である。図１０はロック構造２０を用いてロックした状態を示す斜視図である。図１１は図１０のＸＩ−ＸＩ断面図である。図１２は図１０のＸＩＩ−ＸＩＩ断面図である。ここでは、作業者が包装箱１を組み立てる場合について説明する。
【００４９】
まず、図９に示すように、作業者は、第１実施形態に係る包装箱１の組立作業と同様に、各壁１０〜１４を第１罫線Ｌ１に沿って略直角に折り曲げる。次に、作業者は、外側壁１４を内側壁１０の外側に重ね、差込片２１を第２罫線Ｌ２に沿って折り曲げる。額縁部２１Ａは、基端側の第２罫線Ｌ２で折れ曲がり、連結穴２２の中に露出した内側壁１０の上端面に重なる（図１１参照）。差込本体部２１Ｂは、先端側の第２罫線Ｌ２で折れ曲がり、一対の規制片２３の上面に重なる。
【００５０】
図１０および図１１に示すように、差込本体部２１Ｂを更に折り曲げると、差込本体部２１Ｂは、一対の規制片２３を長さ方向中央から長さ方向両側に押し退けながら連結穴２２に没入する。この際、図１１の破線矢印で示すように、差込本体部２１Ｂの長さ方向両側の先端角部は、一対の規制片２３の上面に接触した状態で幅方向他方（側壁１２側）から一方（内側壁１０側）に向かって円弧状に移動する（滑る）。また、一対の規制片２３は、それぞれ、差込本体部２１Ｂの先端部に押し込まれ、第４罫線Ｌ４に沿って折れ曲がりながら連結穴２２に没入する。
【００５１】
差込本体部２１Ｂが内側壁１０の内側に略重なる角度まで折り曲げられると、差込本体部２１Ｂの先端部は、一対の規制片２３の先端部から凹部２３Ａ内に脱落する。すると、図１０に示すように、一対の規制片２３は折曲部分（第４罫線Ｌ４周り）に働く復元力（弾性力）によって僅かに上昇し、差込本体部２１Ｂは一対の凹部２３Ａに嵌り込んだ状態になる。図１０および図１１に示すように、この状態で、差込本体部２１Ｂは、外側壁１４から側壁１２に向かって斜め下方に延びている。また。図１０および図１２に示すように、一対の規制片２３は、連結穴２２の長さ方向両縁部から互いに接近する方向に斜め下方に延び、その先端部（凹部２３Ａ）を差込本体部２１Ｂの上面および側端面に接触させている。差込本体部２１Ｂは弾性力をもって一対の規制片２３に寄り掛かった姿勢になり、一対の規制片２３は差込片２１（差込本体部２１Ｂ）の弾性力を受け止めている。
【００５２】
以上によって、包装箱２の組立作業が完了する（図７参照）。連結穴２２に差し込まれた差込片２１は、側壁１４との間に内側壁１０の上端部を挟み込む。一方、連結穴２２に差し込まれた一対の規制片２３は、その先端部を差込片２１の長さ方向両側の上面（表面）に接触させて差込片１６を折曲状態に保持する。すなわち、差込片２１と一対の規制片２３とが互いに支え合う安定した姿勢で連結され、外側壁１４が内側壁１０の外側に重ねられた状態に保持される（図７および図１１参照）。
【００５３】
［包装箱の解体］
次に、図１１および図１２を参照して、包装箱２の解体作業について説明する。
【００５４】
図１２に二点鎖線で示すように、作業者は、一対の規制片２３を指（手）で押し込むことで、一対の規制片２３（凹部２３Ａ）の先端部を差込本体部２１Ｂの長さ方向両側の上面に接触した位置から長さ方向両端部に向かって移動させる（滑らせる）。例えば、一対の規制片２３が天壁１１に対して略直角になるまで折り曲げられると、差込本体部２１Ｂは一対の凹部２３Ａから離脱する。すると、差込片２１は、折曲部分（第２罫線Ｌ２周り）に働く復元力（弾性力）によって一対の規制片２３よりも上方に移動する（図１１の一点鎖線矢印参照）。つまり、差込片２１と一対の規制片２３との連結が解除される。また、図１１の二点鎖線で示すように、この連結解除によって、外側壁１４等は折曲部分に働く復元力によって僅かに広がるため、差込片２１は連結穴２２から抜ける方向に移動する。
【００５５】
以上によって、ロック構造２０によるロックが解除された状態になる。この状態で、作業者は、上記した組立作業とは逆の手順によって包装箱２を解体（展開）する。
【００５６】
以上説明した第２実施形態に係るロック構造２０（包装箱２）によれば、一対の規制片２３が長さ方向中央から両側に開いて差込片２１の長さ方向両側を押えるため、差込片２１の弾性力をしっかりと受け止めることができる。これにより、差込片２１と各規制片２３との適切な連結を担保することができる。また、一対の規制片２３を更に長さ方向両側に開くことで、差込片２１を自動的に各規制片２３から離すことができる。これにより、差込片２１と一対の規制片２３との連結を容易に解除することができる。
【００５７】
また、第２実施形態に係るロック構造２０では、差込片２１の先端角部を嵌合させる凹部２３Ａが各規制片２３の先端部に切り欠かれた構成とした。この構成によれば、差込片２１と一対の規制片２３とが連結した状態を適切に保持することができる。なお、規制片２３から凹部２３Ａが省略されてもよい。
【００５８】
［第３実施形態］
次に、図１３を参照して、第３実施形態に係る包装箱３について説明する。図１３は包装箱３のブランク７を示す平面図である。なお、第１実施形態に係る包装箱１と同様の構成については同一の符号を付し、包装箱１と同様の構成または対応する構成の説明は省略する。
【００５９】
上記した第１および第２実施形態に係る包装箱１，２は、スリーブ形式の段ボール箱であったが、第３実施形態に係る包装箱３は、角筒状の周壁の上面および下面を閉塞して封緘されるＡ式の段ボール箱である。
【００６０】
包装箱３のブランク７は、一対の端壁３０Ａ，３０Ｂと、一対の側壁３１Ａ，３１Ｂと、一対の下内フラップ３２Ａ，３２Ｂと、一対の下外フラップ３３Ａ，３３Ｂと、一対の上内フラップ３４Ａ，３４Ｂと、内天壁３５と、外天壁３６と、ロック構造１５と、を備えている。
【００６１】
一対の端壁３０Ａ，３０Ｂと一対の側壁３１Ａ，３１Ｂとは、罫線を介して流れ方向に交互に連なった状態に設けられている。側壁３１Ｂの流れ方向端部には、罫線を介して継代片３７が連なっている。継代片３７が端壁３０Ａの内面に接着され、各壁３０Ａ，３０Ｂ，３１Ａ，３１Ｂが罫線で折れ曲がることで、略角筒状の周壁が形成される。一対の下内フラップ３２Ａ，３２Ｂは一対の端壁３０Ａ，３０Ｂの下端部に連なった状態に設けられ、一対の下外フラップ３３Ａ，３３Ｂは一対の側壁３１Ａ，３１Ｂの下端部に連なった状態に設けられている。一対の下外フラップ３３Ａ，３３Ｂは、一対の下内フラップ３２Ａ，３２Ｂに重ねられた状態で固定され、周壁の下面開口を閉塞する。一対の上内フラップ３４Ａ，３４Ｂは、一対の端壁３０Ａ，３０Ｂの上端部に連なった状態に設けられている。内天壁３５は側壁３１Ａの上端部に連なった状態に設けられ、外天壁３６は側壁３１Ｂの上端部に連なった状態に設けられている。内天壁３５および外天壁３６は、それぞれ、周壁の上面開口を閉塞可能な大きさに形成されている。
【００６２】
ロック構造１５の差込片１６は、外天壁３６（外側壁）の先端部に２本の第２罫線Ｌ２を介して連なった状態に設けられている。ロック構造１５の連結穴１７は、内天壁３５（第１壁）の罫線近傍から側壁３１Ａ（第２壁）に亘って開口している。ロック構造１５の規制片１８は、側壁３１Ａの上部を切り出すことで形成されている。内天壁３５は、一対の上内フラップ３４Ａ，３４Ｂに重ねられる。外天壁３６は、内天壁３５に重ねられ、上記したロック構造１５の作用によって内天壁３５に固定される。すなわち、差込片１６が外天壁３６との間に内天壁３５を挟み込み、規制片１８が差込片１６の復元を規制する。
【００６３】
以上説明した第３実施形態に係る包装箱３によれば、差込片２１と規制片２３との適切な連結を担保しながら、その連結を容易に解除することができる等、第１実施形態に係る包装箱１（ロック構造１５）と同様の効果を得ることができる。なお、図示は省略するが、包装箱３に対し、第２実施形態に係るロック構造２０を適用してもよい。
【００６４】
なお、第１〜第３実施形態に係る包装箱１〜３のロック構造１５，２０では、連結穴１７，２２が内側壁１０（内天壁３５）から天壁１１（側壁３１Ａ）に亘って開口していたが、本発明はこれに限定されない。例えば、第１実施形態の変形例として、図１４に示すように、連結穴１７は、天壁１１（側壁３１Ａ）にのみ開口していてもよい。この場合、額縁部１６Ａの延出寸法を長くして、差込本体部１６Ｂが内側壁１０（内天壁３５）と天壁１１（側壁３１Ａ）の一部（内側壁１０側の一部）とを挟み込むことが好ましい。なお、この第１実施形態の変形例と同様に、第２実施形態に係るロック構造２０（額縁部２１Ａや連結穴２２等）の位置や形状を変更してもよい。
【００６５】
また、第１〜第３実施形態に係る包装箱１〜３（変形例を含む。）は、紙製の段ボールシートで形成されていたが、これに限らず、例えば、厚紙や樹脂製の板等で形成されていてもよい。また、第１〜第３実施形態に係るロック構造１５，２０は、内容物を収容するための包装箱１〜３に限らず、内容物と箱の内面との隙間を埋める緩衝部材に適用することもできる。
【００６６】
なお、上記実施形態の説明は、本発明に係る包装箱における一態様を示すものであって、本発明の技術範囲は、上記実施形態に限定されるものではない。
【符号の説明】
【００６７】
１〜３      包装箱
１０        内側壁（第１壁）
１１        天壁（第２壁）
１４        外側壁
１５，２０  ロック構造
１６，２１  差込片
１７，２２  連結穴
１８，２３  規制片
２３Ａ      凹部
３１Ａ      側壁（第２壁）
３５        内天壁（第１壁）
３６        外天壁（外側壁）
【図１】
2019006447.tif 000003
【図２】
2019006447.tif 000004
【図３】
2019006447.tif 000005
【図４】
2019006447.tif 000006
【図５】
2019006447.tif 000007
【図６】
2019006447.tif 000008
【図７】
2019006447.tif 000009
【図８】
2019006447.tif 000010
【図９】
2019006447.tif 000011
【図１０】
2019006447.tif 000012
【図１１】
2019006447.tif 000013
【図１２】
2019006447.tif 000014
【図１３】
2019006447.tif 000015
【図１４】
2019006447.tif 000016